(57)【要約】      （修正有）【課題】電気が通っていない場所（未開地等）また震災時等のように、電力を確保することが困難な状況においても、被検知ガスの検知を行うことができる、ガス検知器を提供する。【解決手段】被検知ガスを検知するセンサ部１１と、ガス検知器１の各種動作を制御する制御部１４と、制御部１４はベース出力調整機構１７を有する。作業者が手動で操作することによって発電する発電部１６と、発電部１６が発電した電力によって、センサ部１１が被検知ガスを検知する動作を行う、ガス検知器１とする。【選択図】図４
2015166677.tif 000002
【特許請求の範囲】
【請求項１】
被検知ガスを検知するセンサ部と、
作業者が手動で操作することによって発電する発電部と、
前記発電部が発電した電力によって、前記センサ部が前記被検知ガスを検知する動作を行う、
ガス検知器。
【請求項２】
前記発電部が発電した電力を蓄電する前記蓄電部を備え、
前記蓄電部に蓄電された電力によって、前記センサ部が前記被検知ガスを検知する動作を行う、
請求項１に記載のガス検知器。
【請求項３】
検知スイッチを備え、
前記検知スイッチが操作されることによって、前記蓄電部から前記センサ部への電力の供給が行われて前記センサ部が前記被検知ガスを検知する動作を開始し、また、前記蓄電部から前記センサ部への電力の供給が停止されて前記センサ部が前記被検知ガスを検知する動作を停止する、
請求項２に記載のガス検知器。
【請求項４】
前記発電部が発電した電力によって前記センサ部において前記被検知ガスを検知する動作が正常に行われるか否かの点検を行う点検部を備える、
請求項１から請求項３のいずれか一項に記載のガス検知器。
【請求項５】
前記被検知ガスを吸引して前記センサ部に流通させる吸引部を備える、
請求項１から請求項４のいずれか一項に記載のガス検知器。
【請求項６】
前記吸引部によって吸引された前記被検知ガスを貯留する被検知ガス貯留部を備え、
必要に応じて前記被検知ガス貯留部に貯留した被検知ガスを前記センサ部に流通させる、
請求項５に記載のガス検知器。
【請求項７】
清浄空気を予め貯留する清浄空気貯留部を備え、
必要に応じて前記清浄空気貯留部に貯留した前記清浄空気を前記センサ部に流通させる、
請求項１から請求項６のいずれか一項に記載のガス検知器。
【請求項８】
前記吸引部は、前記作業者が手動で操作することによって前記被検知ガスを吸引する動作を行うものであり、前記作業者が手動で前記発電部を操作したときに前記被検知ガスを吸引する動作を行う、
請求項５から請求項７のいずれか一項に記載のガス検知器。
【請求項９】
前記被検知ガスの検知を行うときに前記作業者によって把持される本体ケースを備え、
前記センサ部は、前記本体ケースと分離して構成され、前記作業者と離れた位置の前記被検知ガスを検知する、
請求項１から請求項８のいずれか一項に記載のガス検知器。
【発明の詳細な説明】
【技術分野】
【０００１】
本発明は、ガス検知器の技術に関する。
【背景技術】
【０００２】
従来、センサ部を備え、所定の非検知ガスを検知するガス検知器に関する技術は公知となっている（特許文献１参照）。
前記ガス検知器のセンサ部は、例えば、酸素センサ、ＣＯセンサ、メタンセンサ、または、都市ガスセンサ等のガスセンサで構成される。センサ部は、電力が供給されることによって被検知ガスを検知する動作を行う。
【先行技術文献】
【特許文献】
【０００３】
【特許文献１】特開平７−１０３８８７号公報
【発明の概要】
【発明が解決しようとする課題】
【０００４】
しかしながら、前記ガス検知器は、外部電源から直接電力を得て、または、予め蓄電池に蓄電された電力によって、被検知ガスを検知する動作を行う構成とされる。
このため、前記ガス検知器では、電気が通っていない場所（未開地等）また震災時等のように、電力を確保することが困難な状況においては、被検知ガスを検知することができない場合がある。
【０００５】
発明は以上の如き状況に鑑みてなされたものであり、電力を確保することが困難な状況においても、被検知ガスの検知を確実に行うことができるガス検知器を提供することを課題とする。
【課題を解決するための手段】
【０００６】
本発明の解決しようとする課題は以上の如くであり、次にこの課題を解決するための手段を説明する。
【０００７】
即ち、本願に開示するガス検知器においては、被検知ガスを検知するセンサ部と、作業者が手動で操作することによって発電する発電部と、前記発電部が発電した電力によって、前記センサ部が前記被検知ガスを検知する動作を行うとしたものである。
【０００８】
本願に開示するガス検知器は、上記構成を基本として、以下のような態様をとることができる。
本願に開示するガス検知器においては、前記発電部が発電した電力を蓄電する前記蓄電部を備え、前記蓄電部に蓄電された電力によって、前記センサ部が前記被検知ガスを検知する動作を行うとすることが好ましい。
【０００９】
本願に開示するガス検知器においては、検知スイッチを備え、前記検知スイッチが操作されることによって、前記蓄電部から前記センサ部への電力の供給が行われて前記センサ部が前記被検知ガスを検知する動作を開始し、また、前記蓄電部から前記センサ部への電力の供給が停止されて前記センサ部が前記被検知ガスを検知する動作を停止するとすることが好ましい。
【００１０】
本願に開示するガス検知器においては、前記発電部が発電した電力によって前記センサ部において前記被検知ガスを検知する動作が正常に行われるか否かの点検を行う点検部を備えるとすることが好ましい。
【００１１】
本願に開示するガス検知器においては、前記被検知ガスを吸引して前記センサ部に流通させる吸引部を備えるとすることが好ましい。
【００１２】
本願に開示するガス検知器においては、前記吸引部によって吸引された前記被検知ガスを貯留する被検知ガス貯留部を備え、必要に応じて前記被検知ガス貯留部に貯留した被検知ガスを前記センサ部に流通させるとすることが好ましい。
【００１３】
本願に開示するガス検知器においては、清浄空気を予め貯留する清浄空気貯留部を備え、必要に応じて前記清浄空気貯留部に貯留した前記清浄空気を前記センサ部に流通させるとすることが好ましい。
【００１４】
本願に開示するガス検知器においては、前記吸引部は、前記作業者が手動で操作することによって前記被検知ガスを吸引する動作を行うものであり、前記作業者が手動で前記発電部を操作したときに前記被検知ガスを吸引する動作を行うとすることが好ましい。
【００１５】
本願に開示するガス検知器においては、前記被検知ガスの検知を行うときに前記作業者によって把持される本体ケースを備え、前記センサ部は、前記本体ケースと分離して構成され、前記作業者と離れた位置の前記被検知ガスを検知するとすることが好ましい。
【発明の効果】
【００１６】
本発明の効果として、以下に示すような効果を奏する。
即ち、本発明によれば、電力を確保することが困難な状況においても、被検知ガスの検知を確実に行うことができる。
【図面の簡単な説明】
【００１７】
【図１】本発明の実施形態に係るガス検知器を示す正面図。
【図２】同じくガス検知器を示す背面図。
【図３】同じくガス検知器を示す平面図。
【図４】同じくガス検知器を示すブロック図。
【図５】同じくガス検知器を示す正面図。
【図６】同じくガス検知器を示す側面図。
【図７】同じくガス検知器を示す正面図。
【図８】同じくガス検知器を示すブロック図。
【図９】同じくガス検知器を示すブロック図。
【図１０】同じくガス検知器を示す正面図。
【図１１】同じくガス検知器を示すブロック図。
【図１２】同じくガス検知器を示す正面図。
【図１３】同じくガス検知器を示すブロック図。
【図１４】同じくガス検知器を示す正面図。
【図１５】同じくガス検知器を示すブロック図。
【図１６】同じくガス検知器を示す正面図。
【図１７】同じくガス検知器を示す正面図。
【図１８】同じくガス検知器を示す正面図。
【図１９】同じくガス検知器を示すブロック図。
【図２０】同じくガス検知器を示す正面図。
【図２１】同じくガス検知器を示す正面図。
【図２２】同じくガス検知器を示す正面図。
【発明を実施するための形態】
【００１８】
図１から図６に記載のガス検知器１について説明する。
【００１９】
ガス検知器１は、作業者に操作されることによって被検知ガスの検知を行うものであり、携帯用のガス検知器として構成される。
図１乃至図６に示すように、ガス検知器１は、本体ケース２と、制御ケース３と、センサ部１１と、表示部１２と、警報部１３と、制御部１４と、ベース出力調整部１５と、発電部１６と、を備える。
【００２０】
本体ケース２は、被検知ガスを検知する作業を行うときに作業者によって把持される部分であり、略四角柱状に構成される。本体ケース２の長手方向一端部に制御ケース３が設けられ、本体ケース２の側部に発電部１６が設けられる。
【００２１】
制御ケース３は、上面部が網目状の略円錐台状に構成される。制御ケース３の側面部の二箇所の対向する位置に段差部が形成される。
制御ケース３内にセンサ部１１と制御部１４とが配置され、前記制御ケース３の二箇所の段差部のうち一方の段差部に表示部１２と警報部１３とが配置される。前記制御ケース３の二箇所の段差部のうち他方の段差部は、ガス検知器１の動作を操作する操作具が配置される操作具配置部３ａとして構成される。
【００２２】
センサ部１１は、外部環境の変化を検知するものであり、例えば、酸素センサ、ＣＯセンサ、メタンセンサ、または、都市ガスセンサ等のガスセンサで構成される。センサ部１１は、公知の半導体式センサ素子、接触燃焼式センサ素子、または、それら以外のセンサ素子等によって、被検知ガスを検知する。
センサ部１１は、制御部１４に接続される。センサ部１１は、制御ケース３内に配置され、制御ケース３の上面部（上面部の網目状の隙間）から制御ケース３内に流入する被検知ガスを検知する。センサ部１１は、電力が供給されることによって被検知ガスを検知する動作を行う。センサ部１１は、前記電力の供給が停止されることによって被検知ガスを検知する動作を停止する。センサ部１１は、例えば、ガス濃度が１００ｐｐｍ程度まで被検知ガスを検知することができる。
なお、センサ部１１は、検出する被検知ガスのガス濃度に所定の上限または下限を設けて設定することもできる。
【００２３】
表示部１２は、ガス検知器１の各種動作状態を表示する。表示部１２は、制御部１４に接続される。表示部１２は、三個（複数個）の発光する色がそれぞれ異なるＬＥＤ（発光ダイオード）で構成される。以下において、表示部１２の三個のＬＥＤを、第一ＬＥＤ１２ａ、第二ＬＥＤ１２ｂ、第三ＬＥＤ１２ｃとそれぞれ称して説明する。例えば、第一ＬＥＤ１２ａは緑色に発光し、第二ＬＥＤ１２ｂは柿色に発光し、第三ＬＥＤ１２ｃは赤色に発光するようにそれぞれ構成される。
【００２４】
第一ＬＥＤ１２ａ、第二ＬＥＤ１２ｂ、および、第三ＬＥＤ１２ｃは、ガス検知器１の各種動作状態に応じて、それぞれ点灯もしくは消灯、または、それぞれ異なるパターンで点滅点灯する。第一ＬＥＤ１２ａは、例えば、電力が供給されてセンサ部１１が被検知ガスを検知可能な状態のときに点灯し、電力の供給が停止されてセンサ部１１が被検知ガスを検知できない状態のときに消灯するように設定される。第二ＬＥＤ１２ｂと第三ＬＥＤ１２ｃは、例えば、センサ部１１が被検知ガスを検知したときに、それぞれ異なる間隔で点滅点灯するように設定される。第二ＬＥＤ１２ｂは、比較的薄いガス濃度の被検知ガスをセンサ部１１が検知したときに、比較的遅い間隔で点滅点灯する。第三ＬＥＤ１２ｃは、比較的濃いガス濃度の被検知ガスをセンサ部１１が検知したときに、比較的早い間隔で点滅点灯する。
なお、表示部１２は、ＬＥＤの個数または発光する色をこれらのものに限定するものではなく、単数個のＬＥＤで構成してもよく、また、複数個のＬＥＤをそれぞれ同色に発光するもので構成してもよい。また、表示部１２は、ＬＥＤで構成することに限定するものではなく、例えば、液晶画面等で構成してもよい。
【００２５】
警報部１３は、ガス検知器１の各種動作状態に応じて警報音を発する。警報部１３は、制御部１４に接続される。警報部１３は、例えば、比較的薄いガス濃度の被検知ガスをセンサ部１１が検知して第二ＬＥＤ１２ｂが点滅点灯しているときに間欠音を発し、また、比較的濃いガス濃度の被検知ガスをセンサ部１１が検知して第三ＬＥＤ１２ｃが点滅点灯しているときに連続音を発する。
【００２６】
制御部１４は、ガス検知器１の各種動作を制御する。
制御部１４は、ベース出力調整機構１７を有する。
【００２７】
制御部１４のベース出力調整機構１７は、作業者がベース出力調整部１５を操作することによって、雰囲気中に被検知ガスが存在しないときのベース出力によるゼロ点調整が行われるように構成される。ベース出力調整部１５は、可変抵抗器等のボリューム部材で構成され、制御ケース３の操作具配置部３ａに配置される。
なお、ベース出力調整機構１７は、自動的に雰囲気中に被検知ガスが存在しないときのベース出力によるゼロ点調整が行われる構成とすることもできる。
【００２８】
発電部１６は、作業者が手動で操作することによって発電する手動式の発電機で構成される。発電部１６は、ガス検知器１が各種動作を行うための電力を発電する。発電部１６は、制御部１４に接続される。発電部１６において発電した電力は、制御部１４を介してガス検知器１の各部に供給される。
【００２９】
発電部１６は、回転することによって電力を発生する回転式の発電機であり、回転ハンドル３０と、発電機構（不図示）と、を有する。回転ハンドル３０は、回転台３１と、アーム３２と、つまみ部３３と、で構成される。
回転台３１は、本体ケース２の側部に回転可能に設けられる。回転台３１は、本体ケース２の長手方向略中央部に配置される。
アーム３２は、その一端部にピン（不図示）挿通されて、回転台３１に設けられる。アーム３２は、前記ピンを回動軸として回動可能に構成される。
つまみ部３３は、ピン（不図示）が挿通されて、アーム３２の他端部に設けられる。つまみ部３３は、前記ピンを回転軸として回転可能に構成される。
【００３０】
発電部１６を操作するときには、まず、本体ケース２の長手方向他端部（本体ケース２の制御ケース３が設けられる側と反対側）に回転ハンドル３０のつまみ部３３が当接して保持されている状態から、本体ケース２の長手方向一端部側にアーム３２を回動させた状態にする（図５参照）。発電部１６では、このような状態において、作業者が回転ハンドル３０のつまみ部３３を摘んでアーム３２とともに回転台３１を回転させて、本体ケース２内の発電機構を駆動させる（図６参照）。このように操作することによって、発電部１６は発電する。
そして、センサ部１１は、発電部１６が発電した電力によって、被検知ガスを検知する動作を行う。
【００３１】
なお、ガス検知器１は、発電部１６が発電している状態を作業者に知らせるように構成することもできる。例えば、ガス検知器１は、発光部材（ＬＥＤ等）を備え、発電部１６が発電している状態のときに前記発光部材が発光する構成とする。また例えば、ガス検知器１は、発音機構（ブザー等）を備え、発電部１６が発電している状態のときに前記発音機構が音声を発する構成とする。
【００３２】
以上のように、手動式の発電部１６を備えるガス検知器１では、作業者が手動で操作することによって発電部１６が発電し、発電部１６が発電した電力によって、センサ部１１が被検知ガスを検知する動作を行う。
したがって、ガス検知器１によれば、電気が通っていない場所（未開地等）また震災時等のように、電力を確保することが困難な状況においても、被検知ガスの検知を確実に行うことができる。
【００３３】
センサ部１１は、種々の被検知ガスに対応したものに交換可能に構成することもできる。
このとき、センサ部１１は、低消費電力のガスセンサ（例えば、電気化学式、または、光学式のセンサ等のガスセンサ）を用いてモジュール化される。
【００３４】
以上のように、センサ部１１が被検知ガスに対応したものに交換可能に構成されるガス検知器１では、用途に応じてセンサ部１１を交換して、種々の被検知ガスを検知することができる。
【００３５】
次に、図７、図８に記載のガス検知器１について説明する。
【００３６】
図７乃至図８に示すように、ガス検知器１は、本体ケース２と、制御ケース３と、センサ部１１と、表示部１２と、警報部１３と、制御部１４と、ベース出力調整部１５と、発電部１６と、蓄電部１８と、を備える。
【００３７】
蓄電部１８は、発電部１６が発電した電力を蓄電する蓄電器で構成される。蓄電部１８は、ガス検知器１が数分間（例えば、３分間）動作可能な電力を蓄電できるように構成される。蓄電部１８において蓄電された電力は、制御部１４を介してガス検知器１の各部に供給される。蓄電部１８は、本体ケース２内に配置される。
【００３８】
センサ部１１は、発電部１６が発電して蓄電部１８に蓄電された電力によって、被検知ガスを検知する動作を行う。
【００３９】
表示部１２の第一ＬＥＤ１２ａは、例えば、蓄電部１８から電力が供給されてセンサ部１１が被検知ガスを検知可能な状態のときに点灯し、蓄電部１８から電力の供給が停止されてセンサ部１１が被検知ガスを検知できない状態のときに消灯するように設定される。また例えば、第一ＬＥＤ１２ａは、センサ部１１において被検知ガスを検知可能な電力が蓄電部１８に蓄電された状態となったときに、点滅点灯するように設定してもよい。
【００４０】
以上のように、蓄電部１８を備えるガス検知器１では、発電部１６が発電して蓄電部１８に蓄電された電力によって、センサ部１１が被検知ガスを検知する動作を行う。
このため、ガス検知器１では、被検知ガスを検知する作業を行う前に、予め、発電部１６で発電した電力が蓄電部１８に蓄電された状態とすることができる。
したがって、ガス検知器１によれば、被検知ガスを検知する作業中は発電部１６の操作を要さずに被検知ガスを検知する作業を行うことができ、被検知ガスを検知する作業を容易に行うことができる。
【００４１】
また、ガス検知器１は、検知スイッチ１９を備える。
検知スイッチ１９は、制御部１４に接続される。検知スイッチ１９は、作業者によってＯＮまたはＯＦＦの操作がされることによって、被検知ガスの検知を行う動作の開始または停止を行うように構成される。検知スイッチ１９は、本体ケース２の側部に設けられる。検知スイッチ１９は、本体ケース２の発電部１６が配置される側面と対向する側面に配置される。
検知スイッチ１９がＯＮされると、蓄電部１８からセンサ部１１への電力の供給が行われて、センサ部１１が被検知ガスを検知する動作を開始する。検知スイッチ１９がＯＦＦされると、蓄電部１８からセンサ部１１への電力の供給が停止されて、センサ部１１が被検知ガスを検知する動作を停止する。
【００４２】
以上のように、検知スイッチ１９を備えるガス検知器１では、検知スイッチ１９が操作されることによって、蓄電部１８からセンサ部１１への電力の供給が行われて、センサ部１１が被検知ガスを検知する動作を開始し、また、蓄電部１８からセンサ部１１への電力の供給が停止されて、センサ部１１が被検知ガスを検知する動作を停止する。
このため、ガス検知器１では、被検知ガスを検知する作業を開始するまで、検知スイッチ１９をＯＦＦの状態にして蓄電部１８からセンサ部１１への電力の供給が停止することができる。
したがって、ガス検知器１によれば、被検知ガスを検知する作業の前に充電部に充電した電力が無くなって、被検知ガスを検知する作業ができなくなることを防止することができる。
【００４３】
センサ部１１は、被検知ガスを検知する動作を行わないときに、被測定雰囲気に接することを防止するとともに、被検知ガスを検知する動作を行うときに、被測定雰囲気に接する構成とすることもできる。
このとき、センサ部１１は、蓋部材またはフィルタ部材等で構成される開閉部を有し、開閉部が開閉することによって、被測定雰囲気に接することを防止、または、被測定雰囲気に接する構成とする。
【００４４】
次に、図７、図９、図１０に記載のガス検知器１について説明する。
【００４５】
図７、図９乃至図１０に示すように、ガス検知器１は、本体ケース２と、制御ケース３と、センサ部１１と、表示部１２と、警報部１３と、制御部１４と、ベース出力調整部１５と、発電部１６と、蓄電部１８と、検知スイッチ１９と、点検部２０と、点検スイッチ２１と、を備える。
【００４６】
点検部２０は、発電部１６が発電した電力によってセンサ部１１において被検知ガスを検知する動作が正常に行われるか否かの点検を行う。点検部２０は、制御部１４に接続される。点検部２０は、制御ケース３内に配置される。
【００４７】
点検スイッチ２１は、作業者によってＯＮまたはＯＦＦの操作がされることによって、前記点検部２０の動作（センサ部１１において被検知ガスを検知する動作が正常に行われるか否かの点検を行う動作）の開始または停止を行うように構成される。点検スイッチ２１は、制御部１４に接続される。点検スイッチ２１は、制御ケース３の操作具配置部３ａに配置される。
【００４８】
以上のように、点検部２０を備えるガス検知器１では、点検部２０によって、センサ部１１において被検知ガスを検知する動作が正常に行われるか否かの点検作業を行うことができる。
したがって、ガス検知器１では、センサ部１１に動作不良が生じていることを事前に把握することができ、被検知ガスを検知する作業を行うときになって、センサ部１１の動作不良によって被検知ガスを検知することができないことが判明することを防止することができる。
【００４９】
ガス検知器１では、発電部１６で発電された電力を蓄電部１８に蓄電するか否かを選択できる、選択手段を設けてもよい。このような構成を設けることによって、例えば、蓄電部１８に電力が蓄電された状態では、前記選択手段を操作して発電部１６で発電された電力を蓄電部１８に蓄電しない状態として、発電部１６で発電を行いながら、当該発電部１６で発電された電力で点検部２０によるセンサ部１１の点検を行う。このようにすることによって、蓄電部１８に蓄電された電力を消費せずに点検部２０によるセンサ部１１の点検を行うことができ、当該センサ部１１の点検後、すぐに蓄電部１８に蓄電された電力によってセンサ部１１による被検知ガスの検知を行うことができる。
なお、ガス検知器１は、蓄電部１８と検知スイッチ１９とを備えずに、本体ケース２と、制御ケース３と、センサ部１１と、表示部１２と、警報部１３と、制御部１４と、ベース出力調整部１５と、点検部２０と、点検スイッチ２１と、を備える構成であってもよい。
【００５０】
次に、図７、図１１、図１２に記載のガス検知器１について説明する。
【００５１】
図７、図１１乃至図１２に示すように、ガス検知器１は、本体ケース２と、制御ケース３と、センサ部１１と、表示部１２と、警報部１３と、制御部１４と、ベース出力調整部１５と、発電部１６と、蓄電部１８と、検知スイッチ１９と、吸引部２２と、吸引スイッチ２３と、を備える。
【００５２】
吸引部２２は、電動式の吸引ポンプで構成され、制御ケース３の上面部から制御ケース３内に被検知ガスを吸引する。吸引部２２は、被検知ガスを吸引してセンサ部１１に流通させる。吸引部２２は、制御部１４に接続される。吸引部２２は、制御ケース３内に配置される。
【００５３】
吸引スイッチ２３は、作業者によってＯＮまたはＯＦＦの操作がされることによって、前記吸引部２２の被検知ガスを吸引する動作の開始または停止を行うように構成される。吸引スイッチ２３は、制御部１４に接続される。吸引スイッチ２３は、制御ケース３の操作具配置部３ａに配置される。
【００５４】
以上のように、吸引部２２を備えるガス検知器１では、吸引部２２によって被検知ガスを吸引してセンサ部１１に流通させる。
このため、ガス検知器１では、被検知ガスを吸引することなくセンサ部１１に流通するまで待つ構成のものに比べて、センサ部１１による被検知ガスの検知を早く行うことができる。
したがって、ガス検知器１では、被検知ガスを検知する作業を、効率良くまた確実に行うことができる。
【００５５】
なお、ガス検知器１は、上記構成に加えて、点検部２０と点検スイッチ２１とを備える構成であってもよい。また、ガス検知器１は、蓄電部１８と検知スイッチ１９とを備えずに、本体ケース２と、制御ケース３と、センサ部１１と、表示部１２と、警報部１３と、制御部１４と、ベース出力調整部１５と、吸引部２２と、吸引スイッチ２３と、を備える構成であってもよい。
【００５６】
次に、図７、図１３、図１４に記載のガス検知器１について説明する。
【００５７】
図７、図１３乃至図１４に示すように、ガス検知器１は、本体ケース２と、制御ケース３と、センサ部１１と、表示部１２と、警報部１３と、制御部１４と、ベース出力調整部１５と、発電部１６と、蓄電部１８と、検知スイッチ１９と、吸引部２２と、吸引スイッチ２３と、被検知ガス貯留部２４と、貯留ガススイッチ２５と、清浄空気貯留部２６と、貯留空気スイッチ２７と、を備える。
【００５８】
被検知ガス貯留部２４は、吸引部２２によって制御ケース３内に吸引された被検知ガスを一時的に貯留する。被検知ガス貯留部２４は、必要に応じて、前記貯留した被検知ガスをセンサ部１１に流通させる。被検知ガス貯留部２４は、制御部１４に接続される。被検知ガス貯留部２４は、制御ケース３内に配置される。
【００５９】
貯留ガススイッチ２５は、作業者によってＯＮまたはＯＦＦの操作がされることによって、被検知ガス貯留部２４内の被検知ガスをセンサ部１１に流通させる動作の開始または停止を行うように構成される。貯留ガススイッチ２５は、制御部１４に接続される。貯留ガススイッチ２５は、制御ケース３の操作具配置部３ａに配置される。
【００６０】
以上のように、被検知ガス貯留部２４を備えるガス検知器１では、吸引部２２によって吸引された被検知ガスを被検知ガス貯留部２４において貯留し、必要に応じて当該貯留した被検知ガスをセンサ部１１に流通させる。
このため、ガス検知器１では、被検知ガスを吸引する動作と、被検知ガスを検知する動作と、を分けて行うことができる。
【００６１】
また、ガス検知器１では、被検知ガス貯留部２４の被検知ガスの貯留状況（被検知ガス貯留部２４が吸引された被検知ガスで充たされたか否かに関する状況）を確認する、ガス貯留状況確認手段を設けてもよい。このとき、ガス検知器１は、前記ガス貯留状況確認手段の確認に基づいて、被検知ガス貯留部２４が被検知ガスで充たされた場合には、被検知ガス貯留部２４への被検知ガスの流入を遮断するように流路を制御する、または吸引部２２による被検知ガスの吸引を停止する構成でもよい。
ガス検知器１は、吸引部２２によって吸引された被検知ガスを、外部へ排出する、またはセンサ部１１若しくは被検知ガス貯留部２４へ導入する、ように被検知ガスの流路を制御する構成でもよい。例えば、蓄電部１８に蓄電が完了した段階で、吸引部２２によって吸引された被検知ガスがセンサ部１１（被検知ガス貯留部２４）へ流入するように被検知ガスの流路を制御する流路制御機構を設けてもよい。前記流路制御機構は、スイッチによって被検知ガスの流路を切り替える構成でもよく、ガス検知器１の状態の変化（例えば、蓄電部１８において蓄電が十分にされたこと）に基づいて、被検知ガスの流路を自動的に切り替える構成でもよい。
【００６２】
清浄空気貯留部２６は、清浄空気を予め貯留する。清浄空気貯留部２６は、必要に応じて（ベース出力調整機構１７によってベース出力によるゼロ点調整を行うときに）、前記貯留した清浄空気をセンサ部１１に流通させる。清浄空気貯留部２６は、制御部１４に接続される。清浄空気貯留部２６は、制御ケース３内に配置される。
【００６３】
貯留空気スイッチ２７は、作業者によってＯＮまたはＯＦＦの操作がされることによって、清浄空気貯留部２６内の清浄空気をセンサ部１１に流通させる動作の開始または停止を行うように構成される。貯留空気スイッチ２７は、制御部１４に接続される。貯留空気スイッチ２７は、制御ケース３の操作具配置部３ａに配置される。
【００６４】
以上のように、清浄空気貯留部２６を備えるガス検知器１では、清浄空気貯留部２６において清浄空気を予め貯留し、例えば、ベース出力調整機構１７によってベース出力によるゼロ点調整を行うときに、当該貯留した清浄空気をセンサ部１１に流通させることができる。
このため、ガス検知器１では、ベース出力調整機構１７によってベース出力によるゼロ点調整を行う作業を容易に行うことができる。
【００６５】
ガス検知器１では、清浄空気貯留部２６の貯留状況（清浄空気貯留部２６が清浄空気で充たされているか否かに関する状況）を確認する、清浄空気貯留状況確認手段を設けてもよい。
ガス検知器１は、前記ガス貯留状況確認手段または前記清浄空気貯留状況確認手段の確認に基づいて、被検知ガス貯留部２４または清浄空気貯留部２６からセンサ部１１等への流路を遮断するように構成してもよい。例えば、被検知ガス貯留部２４に貯留された被検知ガスが全て排出された場合、または、清浄空気貯留部２６に貯留された清浄空気が全て排出された場合に、被検知ガス貯留部２４または清浄空気貯留部２６からセンサ部１１等への流路を遮断する構成とする。
なお、ガス検知器１は、上記構成に加えて、点検部２０と点検スイッチ２１とを備える構成であってもよい。ガス検知器１は、被検知ガス貯留部２４と貯留ガススイッチ２５とを備えずに、清浄空気貯留部２６と貯留空気スイッチ２７とを備える構成であってもよい。ガス検知器１は、清浄空気貯留部２６と貯留空気スイッチ２７とを備えずに、被検知ガス貯留部２４と貯留ガススイッチ２５とを備える構成であってもよい。ガス検知器１は、蓄電部１８と検知スイッチ１９、および／または、吸引部２２と吸引スイッチ２３、を備えずに、本体ケース２と、制御ケース３と、センサ部１１と、表示部１２と、警報部１３と、制御部１４と、ベース出力調整部１５と、被検知ガス貯留部２４と、貯留ガススイッチ２５と、清浄空気貯留部２６と、貯留空気スイッチ２７と、を備える構成であってもよい。
【００６６】
次に、図７、図１５、図１６に記載のガス検知器１について説明する。
【００６７】
図７、図１５乃至図１６に示すように、本体ケース２と、制御ケース３と、センサ部１１と、表示部１２と、警報部１３と、制御部１４と、ベース出力調整部１５と、発電部１６と、蓄電部１８と、検知スイッチ１９と、吸引部２２と、被検知ガス貯留部２４と、貯留ガススイッチ２５と、清浄空気貯留部２６と、貯留空気スイッチ２７と、を備える。
【００６８】
発電部１６と吸引部２２とは、一体的に構成される。
吸引部２２は、作業者が手動で操作することによって被検知ガスを吸引する動作を行う、手動式の吸引ポンプで構成される。吸引部２２は、作業者が手動で発電部１６を操作したときに、被検知ガスを吸引する動作を行う。吸引部２２は、作業者が発電部１６のつまみ部３３を摘んでアーム３２とともに回転台３１を回転させることによって、被検知ガスを吸引する動作を行う。吸引部２２は、被検知ガスを吸引する動作の動力（作業者）を発電部１６と共通に構成される。
【００６９】
以上のように、ガス検知器１では、作業者が手動で発電部１６を操作したときに、吸引部２２が被検知ガスを吸引する動作を行う。
したがって、ガス検知器１によれば、電力を確保することが困難な状況においても、吸引部２２による被検知ガスを吸引する動作を行うことができる。また、ガス検知器１によれば、発電部１６が動作する動力と吸引部２２が動作する動力とが共通するため、吸引部２２を有するものであってもコンパクトに構成することができる。
【００７０】
なお、ガス検知器１は、上記構成に加えて、点検部２０と点検スイッチ２１とを備える構成であってもよい。ガス検知器１は、蓄電部１８と検知スイッチ１９、被検知ガス貯留部２４と貯留ガススイッチ２５、および／または、清浄空気貯留部２６と貯留空気スイッチ２７、を備えずに、本体ケース２と、制御ケース３と、センサ部１１と、表示部１２と、警報部１３と、制御部１４と、ベース出力調整部１５と、発電部１６と、吸引部２２と、を備える構成であってもよい。
【００７１】
次に、図１７に記載のガス検知器１について説明する。
【００７２】
図１７に示すように、ガス検知器１は、本体ケース２と、制御ケース３と、センサケース４と、を備える。
制御ケース３は、略円錐台状に構成される。
センサケース４は、制御ケース３と分離して構成される。センサケース４は、側面の一部に、被検知ガスがセンサケース４内に流入する流入口（不図示）を有する。
センサ部１１は、センサケース４内に配置され、センサケース４内に流入する被検知ガスを検知する。センサ部１１は、制御ケース３（制御部１４）と有線で接続される。発電部１６において発電した電力は、有線５を介してセンサ部１１に供給される。センサ部１１において検知した情報は、有線通信を介して制御ケース３（制御部１４）に送信される。
ガス検知器１では、センサケース４（センサ部１１）が、制御ケース３（制御ケース３内の制御部１４等）と分離して構成され、制御ケース３および本体ケース２（作業者）と離れた位置の被検知ガスを検知する。
【００７３】
以上のように、センサ部１１が本体ケース２と分離して構成される、ガス検知器１では、作業者と離れた位置の被検知ガスを検知することができる。ガス検知器１では、例えば、センサ部１１をマンホール内に投入して、マンホールの中に作業者が侵入することなく、マンホール内の被検知ガスを検知することができる。
したがって、ガス検知器１では、作業者が立ち入ることが困難な場所においても、被検知ガスを検知する作業を行うことができる。
【００７４】
次に、図１８、図１９に記載のガス検知器１について説明する。
【００７５】
図１８乃至図１９に示すように、ガス検知器１は、本体ケース２と、制御ケース３と、センサケース４と、センサ部１１と、表示部１２と、警報部１３と、制御部１４と、ベース出力調整部１５と、発電部１６と、蓄電部１８と、検知スイッチ１９と、を備える。
【００７６】
ガス検知器１では、センサケース４（センサ部１１）が、制御ケース３（制御ケース３内の制御部１４等）と分離して構成され、制御ケース３および本体ケース２（作業者）と離れた位置の被検知ガスを検知する。
センサ部１１は、制御ケース３（制御部１４）と無線通信で接続される。センサ部１１において検知した情報は、無線通信を介して制御ケース３（制御部１４）に送信される。発電部１６において発電した電力は、有線５を介して接続されないため、本体ケース２からセンサ部１１に供給されない。
センサ部１１は、センサ発電部２８とセンサ蓄電部２９とを備える。
【００７７】
センサ発電部２８は、作業者が手動で操作することによって発電する手動式の発電機であり、センサ部１１用の発電機として構成される。センサ発電部２８は、センサ部１１における制御部１４と通信する動作およびセンサ部１１における被検知ガスを検知する動作、を行うための電力を発電する。センサ発電部２８は、センサケース４内に配置される。
【００７８】
センサ蓄電部２９は、センサ発電部２８が発電した電力を蓄電する蓄電器であり、センサ部１１用の蓄電器として構成される。センサ蓄電部２９は、センサ部１１が数分間（例えば、３分間）動作可能な電力を蓄電できるように構成される。センサ蓄電部２９は、センサケース４内に配置される。
【００７９】
以上のように、センサ部１１において検知した情報が無線通信を介して制御部１４に送信され、センサ部１１がセンサ発電部２８（センサ部１１用の発電機）とセンサ蓄電部２９（センサ部１１用の蓄電器）とを備える、ガス検知器１では、センサ発電部２８が発電してセンサ蓄電部２９に蓄電された電力によって、センサ部１１が被検知ガスを検知する動作を行う。
このため、ガス検知器１では、本体ケース２からセンサ部１１に電力が供給されない構成であっても、作業者と離れた位置の被検知ガスを検知することができる。
【００８０】
上記例では、センサ部１１にセンサ発電部２８とセンサ蓄電部２９とを設けたが、このような構成に限らず、センサ部１１は、一次電池（例えば乾電池）を備え、当該一次電池を電源として駆動する構成としてもよい。このように構成することによって、ガス検知器１を使用する際は、本体ケース２側の駆動に要する電力のみ発電部１６（手動式の発電機）で発電すれば使用できるので、ガス検知器１を使用するにあたって発電に要する時間を短縮することができる。
また、センサ部１１に被検知ガスを検知した情報を記憶する記憶部を設けてもよい。このように構成することによって、本体ケース２側（制御部１４の記憶装置）が駆動していない期間に、センサ部１１によって検知した情報を前記センサ部１１の記憶部で記憶しておくことができ、また、本体ケース２側が駆動した後に、当該センサ１１の記憶部で記憶した情報を本体ケース２側に送信することができる。
また、ガス検知器１は、センサケース４と制御ケース３（または本体ケース２）とに係合手段を設け、当該係合手段によってこれらを着脱可能に構成してもよい。このように構成することによって、センサケース４が制御ケース３（または本体ケース２）に装着されている場合には、これらが電気的に接続され、発電部１６で発電された電力がセンサケース４のセンサ蓄電部２９に蓄電されるように構成してもよい。この場合、発電部１６で発電された電力を、蓄電部１８またはセンサ蓄電部２９のいずれに導通させるかを切り替えるための、導通切替手段を、本体ケース２に設けても良い。
前記導通切替手段を設けずに、ガス検知器１は、蓄電部１８およびセンサ蓄電部２９のうちいずれか一方への蓄電が完了すると、いずれか他方への蓄電を行うように制御する構成としてもよい。
なお、ガス検知器１は、上記構成に加えて、点検部２０と点検スイッチ２１、被検知ガス貯留部２４と貯留ガススイッチ２５、および／または、清浄空気貯留部２６と貯留空気スイッチ２７、を備える構成であってもよい。また、ガス検知器１は、蓄電部１８と検知スイッチ１９とを備えずに、本体ケース２と、制御ケース３と、センサケース４と、センサ発電部２８とセンサ蓄電部２９とを備えるセンサ部１１と、表示部１２と、警報部１３と、制御部１４と、ベース出力調整部１５と、発電部１６と、を備える構成であってもよい。
【００８１】
次に、図２０、図２１に記載のガス検知器１について説明する。
【００８２】
図２０乃至図２１に示すように、ガス検知器１では、発電部１６は、押圧することによって電力を発生する押圧式の発電機であり、レバー３４と、発電機構（不図示）と、付勢部材（不図示）を有する。
レバー３４は、本体ケース２を握っている作業者によって握られて押圧されるものであり、本体ケース２の側部に設けられる。レバー３４は、本体ケース２の長手方向略中央部に配置される。レバー３４は、本体ケース２内の付勢部材によって付勢されるとともに、本体ケース２の短手方向に移動可能に構成される。レバー３４は、作業者によって押圧されると、付勢部材の付勢力に反して本体ケース２の軸心側に移動し、また、作業者による押圧が解除されると、付勢部材の付勢力によって本体ケース２の軸心側と反対側に移動する。
発電部１６では、レバー３４を握って押圧する動作を繰り返すことによって、本体ケース２内の発電機構を駆動させる。このように操作することによって、発電部１６は発電する。
【００８３】
またこのとき、発電部１６と吸引部２２とは、一体的に構成することもできる。
吸引部２２は、作業者が手動で操作することによって被検知ガスを吸引する動作を行う、手動式の吸引ポンプで構成される。吸引部２２は、作業者が手動で発電部１６を操作したときに、被検知ガスを吸引する動作を行う。吸引部２２は、作業者が発電部１６のレバー３４を握って押圧する動作を繰り返すことによって、被検知ガスを吸引する動作を行う。吸引部２２は、被検知ガスを吸引する動作の動力（作業者）を発電部１６と共通に構成される。
上記例のように構成する場合、蓄電部１８への蓄電が完了するまでは、吸引された被検知ガスを排出するように流路を制御し、蓄電部１８への蓄電が完了した段階で、吸引された被検知ガスがセンサ部１１へ流入するように流路を制御する流路制御機構を設けてもよい。
【００８４】
次に、図２２に記載のガス検知器１について説明する。
【００８５】
図２２に示すように、ガス検知器１では、発電部１６は、振動することによって電力を発生する振動式の発電機であり、本体ケース２内に配置される。
発電部１６では、本体ケース２を把持した状態でガス検知器１を小刻みに振る動作を繰り返すことによって、本体ケース２内の発電機構（不図示）を駆動（振動）させる。このように操作することによって、発電部１６は発電する。
【００８６】
またこのとき、発電部１６と吸引部２２とは、一体的に構成することもできる。
吸引部２２は、作業者が手動で操作することによって被検知ガスを吸引する動作を行う、手動式の吸引ポンプで構成される。吸引部２２は、作業者が手動で発電部１６を操作したときに、被検知ガスを吸引する動作を行う。吸引部２２は、本体ケース２を把持した状態でガス検知器１を小刻みに振る動作を繰り返すことによって、被検知ガスを吸引する動作を行う。吸引部２２は、被検知ガスを吸引する動作の動力（作業者）を発電部１６と共通に構成される。
【００８７】
なお、ガス検知器１、および、ガス検知器１の各部材（本体ケース２や制御ケース３等）の構成は、上記載例に限らず、作業者が携帯し易くまた把持し易い構成であることが好ましい。例えば、本体ケース２は、円筒状に構成してもよく、また、ゴム製若しくは樹脂製等の滑止め部材を外面に備えて構成してもよい。
また、ガス検知器１の各部材（表示部１２ベースや出力調整部１５やスイッチ等の各種操作具等）が設けられる位置は、上記載例に限らず、作業者が操作し易い位置に設けられることが好ましい。例えば、ガス検知器１の各部材（表示部１２ベースや出力調整部１５やスイッチ等の各種操作具等）は、作業者が左手で本体ケース２を把持したときに、目視しながら右手で操作可能な位置に配置されることが好ましい。
また、ガス検知器１の表示部１２が設けられる位置は、上記載例に限らず、作業者がガス検知器１を操作しながら認識し易い位置に設けられることが好ましい。例えば、ガス検知器１の表示部１２は、作業者が左手で本体ケース２を把持して右手で発電部１４を操作するときに、作業者が認識することができる位置（上方側）に配置されることが好ましい。
【符号の説明】
【００８８】
１    ガス検知器
２    本体ケース
３    制御ケース
１１  センサ部
１２  表示部
１３  警報部
１４  制御部
１５  ベース出力調整部
１６  発電部
１７  ベース出力調整機構
３０  ハンドル
３１  回転台
３２  アーム
３３  つまみ部
【図１】
2015166677.tif 000003
【図２】
2015166677.tif 000004
【図３】
2015166677.tif 000005
【図４】
2015166677.tif 000006
【図５】
2015166677.tif 000007
【図６】
2015166677.tif 000008
【図７】
2015166677.tif 000009
【図８】
2015166677.tif 000010
【図９】
2015166677.tif 000011
【図１０】
2015166677.tif 000012
【図１１】
2015166677.tif 000013
【図１２】
2015166677.tif 000014
【図１３】
2015166677.tif 000015
【図１４】
2015166677.tif 000016
【図１５】
2015166677.tif 000017
【図１６】
2015166677.tif 000018
【図１７】
2015166677.tif 000019
【図１８】
2015166677.tif 000020
【図１９】
2015166677.tif 000021
【図２０】
2015166677.tif 000022
【図２１】
2015166677.tif 000023
【図２２】
2015166677.tif 000024